(57)【要約】【課題】ユーザが表示部の表示内容を見ている場合であっても、ユーザの前方に障害物などが存在するかどうかをユーザに知らせることができる。【解決手段】動画を撮影可能な撮像部１６と、動画を含む画像を表示可能な表示部１８とを備える携帯端末装置１０であって、表示部１８は、主画面１８ａとサブ画面１８ｂとが設けられ、いずれかの画面１８ａ，１８ｂに撮像部１６で撮像された動画を表示し、撮像部１６は、装置筐体２０の厚さ方向に対して角度をつけて固定され、ユーザが前記装置筐体を手で持って使用する際に地面２００と平行である水平方向Ｈに撮像する。【選択図】図１
2018019305.tif 000002
【特許請求の範囲】
【請求項１】
動画を撮影可能な撮像部と、前記動画を含む画像を表示可能な表示部と、を備える携帯端末装置であって、
前記表示部は、主画面とサブ画面とが設けられ、いずれかの画面に前記撮像部で撮像された前記動画を表示し、
前記撮像部は、装置筐体の厚さ方向に対して角度をつけて固定され、ユーザが前記装置筐体を手で持って使用する際に地面と平行である水平方向に撮像することを特徴とする携帯端末装置。
【請求項２】
前記角度は、７０±１０度の範囲内の傾斜角度である請求項１記載の携帯端末装置。
【請求項３】
前記装置筐体の第１面に前記表示部が設けられ、前記第１面の反対の第２面に前記撮像部が設けられ、
前記撮像部は、前記装置筐体が垂直方向のときに前記第２面に対して撮像方向が斜め上方になる角度に固定される請求項１または請求項２に記載の携帯端末装置。
【請求項４】
前記角度は、前記第２面の法線方向に対して７０±１０度の範囲内の傾斜角度である請求項３記載の携帯端末装置。
【請求項５】
少なくとも前記表示部が表示内容を表示していることを条件に、前記撮像部による撮像を開始させる制御部を備える請求項１から請求項４のうちのいずれか１項に記載の携帯端末装置。
【請求項６】
前記装置筐体の傾きを検知するセンサと、
前記センサで検知された傾きに応じて前記撮像部の撮像方向を前記水平方向に保持する駆動機構と、を備える請求項１から請求項５のうちのいずれか１項に記載の携帯端末装置。
【請求項７】
請求項１から請求項６のうちのいずれか１項に記載の携帯端末装置と、サーバと、を有する画像記録システムであって、
前記携帯端末装置は、前記撮像部で撮像された前方の動画を構成する画像データをネットワークを通じて前記サーバに送信する携帯側通信部を備え、
前記サーバは、
前記携帯端末装置から送信された前記画像データを受信するサーバ側通信部と、
前記サーバ側通信部で受信された前記画像データを記録する記録部と、を備える画像記録システム。
【請求項８】
前記サーバは、前記記録部に前記画像データを記録した日時を前記画像データに関連付けて記録するサーバ制御部を備える請求項７記載の画像記録システム。
【請求項９】
前記サーバ制御部は、前記携帯端末装置から送信される要求データに応じて所望の画像データを前記記録部から読み出し、読み出した前記画像データを前記サーバ側通信部を介して前記携帯端末装置に送信する請求項７または請求項８に記載の画像記録システム。
【発明の詳細な説明】
【技術分野】
【０００１】
本発明は、ユーザが携帯可能な携帯端末装置、及びその携帯端末装置で撮像された画像データを記録する画像記録システムに関する。
【背景技術】
【０００２】
近年、歩きながらスマートフォンを操作する所謂“歩きスマホ”が社会問題化している。ユーザがスマートフォン等の携帯端末のディスプレイを見ながら歩くことはユーザ本人にとって危険であるのみならず、ユーザの周囲の人にとっても極めて危険で迷惑な行為である。例えば、携帯端末のディスプレイに地図、目的地までの経路、ユーザの進行方向等を表示するナビゲーションシステムを備えた携帯端末が普及している。ユーザがナビゲーションシステムを利用する場合、携帯端末のディスプレイを見ながら歩く場合が多くなり、“歩きスマホ”の問題が生じる。このような“歩きスマホ”は危険であるにもかかわらず、一向に減らない。“歩きスマホ”の対策として、例えば以下に示す文献がある。
【０００３】
特許文献１には、ユーザによる携帯端末装置の歩行中の使用について状況に応じた警告を行う技術が開示されている。
【先行技術文献】
【特許文献】
【０００４】
【特許文献１】特開２０１５−２１６４６４号公報
【発明の概要】
【発明が解決しようとする課題】
【０００５】
しかしながら、上記特許文献１の場合、携帯端末装置がユーザによる歩行中の操作を検出した場合に、ユーザに対して警告を行う技術であるが、ユーザは警告が行われても操作を中止しないことも考えられる。この場合、依然としてユーザが障害物などに衝突してしまう危険がある。また、現在の携帯端末装置についているカメラのレンズが、装置筐体の表面に対して垂直方向に組み込まれているので、ユーザが“歩きスマホ”をする時において装置筐体が地面に対して斜めの角度の場合、カメラの画像は地面しか映らず、前方が映らないので、危険である。
【０００６】
本発明は、前述した事情に鑑みてなされたものであり、ユーザが表示部の表示内容を見ている場合であっても、ユーザの前方に障害物などが存在するかどうかをユーザに知らせることができる携帯端末装置及び画像記録システムを提供することを目的とする。また、予め、撮像部に角度をつけ、ユーザが“歩きスマホ”をしても、画面上のどこかに前方方向の動画を表示することで、衝突の危険を回避できる携帯端末装置及び画像記録システムを提供することを目的とする。
【課題を解決するための手段】
【０００７】
上記目的を達成するために、本発明では、動画を撮影可能な撮像部と、動画を含む画像を表示可能な表示部と、を備える携帯端末装置であって、表示部は、主画面とサブ画面とが設けられ、いずれかの画面に撮像部で撮像された動画を表示し、撮像部は、装置筐体の厚さ方向に対して角度をつけて固定され、ユーザが装置筐体を手で持って使用する際に地面と平行である水平方向に撮像することを特徴とする携帯端末装置を提供する。
【０００８】
また、角度は、７０±１０度の範囲内の傾斜角度が最も適した角度である。また、装置筐体の第１面に表示部が設けられ、第１面の反対の第２面に撮像部が設けられ、撮像部は、装置筐体が垂直方向のときに第２面に対して撮像方向が斜め上方になる角度に固定される構成でもよい。また、斜め上方になる角度は、第２面の法線方向に対して７０±１０度の範囲内の傾斜角度が最も適した角度である。
【０００９】
また、少なくとも表示部が表示内容を表示していることを条件に、撮像部による撮像を開始させる制御部を備える構成でもよい。また、装置筐体の傾きを検知するセンサと、センサで検知された傾きに応じて撮像部の撮像方向を水平方向に保持する駆動機構と、を備える構成でもよい。
【００１０】
また、本発明では、上記した携帯端末装置と、サーバと、を有する画像記録システムであって、携帯端末装置は、撮像部で撮像された前方の動画を構成する画像データをネットワークを通じてサーバに送信する携帯側通信部を備え、サーバは、携帯端末装置から送信された画像データを受信するサーバ側通信部と、サーバ側通信部で受信された画像データを記録する記録部と、を備える画像記録システムを提供する。
【００１１】
また、サーバは、記録部に画像データを記録した日時を画像データに関連付けて記録するサーバ制御部と、を備える構成でもよい。また、サーバ制御部は、携帯端末装置から送信される要求データに応じて所望の画像データを記録部から読み出し、読み出した画像データをサーバ側通信部を介して携帯端末装置に送信する構成でもよい。
【発明の効果】
【００１２】
本発明によれば、装置筐体が傾いた状態で手に持たれている状況においてユーザの前方の動画を表示部のサブ画面に表示するので、ユーザが表示部の表示内容を見ている場合であっても、ユーザの前方に障害物などが存在するかどうかをユーザに知らせることができる。また、撮像部は装置筐体の厚さ方向に対して角度をつけて固定されているので、撮像部の角度（傾き）を大きく変更することなく、撮像部の撮像方向を水平方向に保持することができる。
【図面の簡単な説明】
【００１３】
【図１】第１実施形態に係る携帯端末装置の構成を示すブロック図である。
【図２】図１に示す携帯端末装置の外観構成を示す斜視図である。
【図３】撮像部及び駆動機構の構成を示す断面図である。
【図４】撮像部による撮像方向を示す図である。
【図５】表示部における表示画面の表示例を示す図である。
【図６】第１実施形態に係る携帯端末装置の動作を示すフローチャートである。
【図７】第２実施形態に係る画像記録システムの構成を示すブロック図である。
【発明を実施するための形態】
【００１４】
以下、本発明の実施形態について図面を参照して説明する。ただし、本発明はこれに限定されるものではない。また、図面においては、実施形態を説明するため、一部分を大きくまたは強調して記載するなど適宜縮尺を変更して表現することがある。
【００１５】
＜第１実施形態＞
図１は、第１実施形態に係る携帯端末装置１０の構成を示すブロック図である。図１に示す携帯端末装置１０は、ユーザが携帯可能なスマートフォン、携帯電話などの装置である。なお、本実施形態では、携帯端末装置１０はスマートフォンであるものとして説明する。この携帯端末装置１０は、図１に示すように、操作部１１、制御部１２、画像処理部１３、記憶部１４、携帯側通信部１５、撮像部１６、駆動機構１７、表示部１８、及びジャイロセンサ１９を有している。
【００１６】
操作部１１は、携帯端末装置１０の装置筐体に設けられるボタン及びスイッチ（例えば図２の電源ボタン１１ａ参照）や、表示部１８の画面上に設置されるタッチパネル（例えば図２のタッチパネル１１ｂ参照）などである。ユーザは、操作部１１を操作することにより情報の選択や入力を行う。制御部１２は、携帯端末装置１０の各部の制御を司る処理部である。この制御部１２は、ＣＰＵなどの演算装置が記憶部１４に記憶された制御プログラムに基づいて各部の処理・制御を行う。
【００１７】
画像処理部１３は、携帯側通信部１５で受信された画像データや撮像部１６で撮像された画像データに対して画像処理を行う処理部である。画像処理部１３により画像処理された画像データは表示部１８に出力される。記憶部１４は、ユーザによる操作部１１の操作に応じて入力される情報や携帯側通信部１５で受信された情報などを記憶する。また、記憶部１４は、撮像部１６で撮像された画像データを記憶する。また、記憶部１４は、制御部１２に処理・制御を実行させるための制御プログラムも記憶する。なお、記憶部１４はメモリなどで構成される。携帯側通信部１５は、不図示のアンテナを介して基地局（図示せず）との間で無線通信を行う処理部である。携帯側通信部１５が基地局と無線通信を行うことにより、携帯端末装置１０における電話（通話）、電子メール、インターネット上のサイトへのアクセスなどの機能が実現される。
【００１８】
撮像部１６は、ユーザによる操作部１１の操作に応じて、画像（静止画、動画）を撮影するデジタルカメラである。撮像部１６で撮影された画像データは、記憶部１４に記憶される。駆動機構１７は、撮像部１６の撮像方向（すなわち撮像部１６の角度）を移動（変化）させる部分である。例えば、駆動機構１７はアクチュエータで構成される。表示部１８は、画像処理部１３で処理された画像を表示する。例えば、表示部１８は液晶パネルなどで構成される。ジャイロセンサ１９は、携帯端末装置１０（すなわち装置筐体）の傾き（回転）を検知するセンサである。本実施形態では、制御部１２は、ジャイロセンサ１９が検知した装置筐体の傾きに基づいて制御信号を駆動機構１７に出力することで、駆動機構１７が撮像部１６の撮像方向を地面と平行である水平方向に保持するように制御する。
【００１９】
図２は、図１に示す携帯端末装置１０の外観構成を示す斜視図である。図２において、上図は携帯端末装置１０の表面（表示部１８が設置されている面）を上に向けた状態の図であり、下図は携帯端末装置１０の裏面（表示部１８が設置されている面と反対側の面）上に向けた状態の図である。以下の各図において、ＸＹＺ座標系を用いて図中の方向を説明する。このＸＹＺ座標系においては、携帯端末装置１０の装置筐体２０の表面２０Ａ（第１面という。）に平行な平面をＸＺ平面とする。このＸＺ平面において装置筐体２０の長手方向をＸ方向と表記し、Ｘ方向に直交する方向をＺ方向と表記する。ＸＺ平面に垂直な方向（携帯端末装置１０の装置筐体２０の厚さ方向）はＹ方向と表記する。Ｘ方向、Ｙ方向及びＺ方向のそれぞれは、図中の矢印の方向が＋方向であり、矢印の方向とは反対の方向が−方向であるものとして説明する。
【００２０】
図２に示すように、携帯端末装置１０の装置筐体２０は、矩形の板状に形成されている。図２の上図に示すように、装置筐体２０の表面２０Ａには携帯端末装置１０に電力を投入するための電源ボタン１１ａが設けられている。また、装置筐体２０の表面２０Ａに表示部１８の表示画面が設けられている。表示部１８の表示画面上には、ユーザによってタッチされた位置を検知し、検知した位置に応じた信号を制御部１２に出力するタッチパネル１１ｂが設置されている。図２の下図に示すように、装置筐体２０の裏面２０Ｂ（背面や第２面という。）には撮像部１６としてのデジタルカメラが配置されている。なお、第２面の法線方向が装置筐体２０の厚さ方向（Ｙ方向）である。
【００２１】
図３は、撮像部１６及び駆動機構１７の構成を示す断面図である。図３に示すように、撮像部１６の撮像方向は、ＸＹ平面内においてＹ方向（装置筐体２０の厚さ方向）に対して７０度の角度をなす方向を標準方向とする。標準方向は、予め設定されている標準の方向（標準の角度）、すなわち、駆動機構１７が装置筐体２０の傾きに応じて撮像部１６の角度を変更される前の方向である。駆動機構１７は、制御部１２からの制御信号に基づいて、撮像部１６の一方の端部を支点として、撮像部１６の他方の端部を回転移動させることで、装置筐体２０の角度をＸＹ平面内で変更する。
【００２２】
図４は、撮像部１６による撮像方向Ｄを示す図である。図４に示すように、駆動機構１７は、ジャイロセンサ１９により検知された装置筐体２０の傾き（水平方向Ｈに対する角度）に基づいて、撮像部１６の撮像方向Ｄを地面２００と平行である水平方向Ｈに保持するように撮像部１６の角度を変更する。すなわち、制御部１２は、ジャイロセンサ１９により検知された装置筐体２０の傾きに応じた制御信号を駆動機構１７に出力する。駆動機構１７は、制御部１２からの制御信号に基づいて、撮像部１６の撮像方向Ｄが水平方向Ｈとなるように装置筐体２０の角度を変更する。
【００２３】
本実施形態では、ユーザ１００が携帯端末装置１０を手で持って使用する場合、装置筐体２０の厚さ方向（Ｙ方向）と水平方向Ｈとがなす角度が７０±１０度の範囲内の傾斜角度であると想定している。一般に、図４に示すように携帯端末装置１０の位置が心臓よりも低い位置となるように、ユーザ１００は携帯端末装置１０を手で持って使用する。携帯端末装置１０の位置を心臓よりも高くすると、疲れてしまうからである。そして、ユーザ１００が疲れずに自然な状態で携帯端末装置１０を手に持った場合、ユーザ１００の視線方向と地面２００と平行である水平方向Ｈとがなす角度は通常７０±１０度程度となる。
【００２４】
例えば、ユーザ１００が身長１７０ｃｍの男性の場合、手に持ったときの携帯端末装置１０の位置は地面２００から１３０ｃｍ程度の高さとなる。この場合、ユーザ１００の手の長さを考慮すると、ユーザ１００の視線方向と水平方向Ｈとが７０±１０度程度となる。また、ユーザ１００が身長１６０ｃｍの女性の場合、手に持ったときの携帯端末装置１０の位置は地面２００から１２５ｃｍ程度の高さとなる。この場合も、ユーザ１００の手の長さを考慮すると、ユーザ１００の視線方向と水平方向Ｈとが７０±１０度程度となる。従って、図３に示したように、撮像部１６の撮像方向の標準方向を７０度としている。ただし、ユーザ１００の個人差を考慮して、撮像部１６の撮像方向の標準方向は７０±１０度の範囲内であればよい。
【００２５】
図５は、表示部１８における表示画面の表示例を示す図である。図５に示すように、表示部１８の表示画面には、主画面１８ａとサブ画面１８ｂとが設けられている。主画面１８ａは、携帯端末装置１０の機能（電話、電子メール、アプリケーションなどの各種機能）に応じた情報、インターネット上のサイトの情報、撮像部１６で撮像された画像などを表示する領域である。サブ画面１８ｂは、ユーザが携帯端末装置１０を操作しているときに、ユーザの前方に人・物などの障害物が存在するかどうかをユーザに知らせるために、撮像部１６で撮像された動画（映像）を表示する領域である。
【００２６】
次に、第１実施形態における携帯端末装置１０の動作について説明する。
【００２７】
図６は、第１実施形態に係る携帯端末装置１０の動作を示すフローチャートである。図６に示す処理において、制御部１２は、表示部１８に待ち受け画面が表示されているか否か判定する（ステップＳ１）。制御部１２は、表示部１８に待ち受け画面以外の表示内容（情報、画像）が表示されている場合、ユーザが表示部１８の表示内容を見ていると判断する。この場合、制御部１２は、ジャイロセンサ１９が検知する装置筐体２０の傾きに応じた制御信号を駆動機構１７に出力することで、駆動機構１７を駆動制御する（ステップＳ２）。駆動機構１７は、制御部１２からの制御信号に基づいて、撮像部１６の撮像方向が水平方向に保持するように携帯端末装置１０（つまり装置筐体２０）の傾きを調整する。
【００２８】
また、制御部１２は、撮像部１６に対して撮像開始を示す信号を出力することで、撮像部１６に動画の撮像を開始させる（ステップＳ３）。また、制御部１２は、撮像部１６で撮像された動画を表示部１８のサブ画面１８ｂに表示させる（ステップＳ４）。さらに、制御部１２は、撮像部１６で撮像された動画を記憶部１４に記憶させる（ステップＳ５）。このとき、制御部１２は、不図示の時計部から現在の日時の情報を取得し、その日時の情報を動画に付加して記憶部１４に記憶する。
【００２９】
以上に説明したように、本実施形態では、動画を撮影可能な撮像部１６と、動画を含む画像を表示可能な表示部１８とを備える携帯端末装置１０であって、表示部１８は、主画面１８ａとサブ画面１８ｂとが設けられ、サブ画面１８ｂに撮像部１６で撮像された動画を表示し、撮像部１６は、装置筐体２０の厚さ方向に対して角度をつけて固定され、装置筐体２０の角度にかかわらず撮像方向Ｄを地面２００と平行である水平方向Ｈに保持することで前方を撮像する。このような構成によれば、ユーザの前方の動画がサブ画面１８ｂに表示されるので、ユーザが表示部１８の表示内容を見ている場合であっても、ユーザの前方に障害物などが存在するかどうかをユーザに知らせることができる。また、撮像部１６は装置筐体２０の厚さ方向に対して角度をつけて固定されているので、ユーザが携帯端末装置１０を手で持って使用する際に撮像部１６の撮像方向を水平方向（又は水平方向に近い方向）にすることができ、ユーザの前方を撮像することができる。
【００３０】
また、本実施形態では、角度は、７０±１０度の範囲内の傾斜角度であるので、ユーザが携帯端末装置１０を手に持って使用する際に撮像部１６の撮像方向Ｄが水平方向に近い方向にすることができる。その結果、より一層、ユーザ１００が疲れずに自然な状態で携帯端末装置１０を手に持った場合におけるユーザ前方を撮像することができる。
【００３１】
また、本実施形態では、ユーザが表示部１８の表示内容を見ていると判定した場合に、撮像部１８による撮像を開始させる制御部１２を備えるので、ユーザの視線が前方に向いていないときに撮像部１６による撮像を実行させることができる。
【００３２】
また、本実施形態では、制御部１２は、少なくとも表示部１８が表示内容を表示していることを条件にユーザが表示内容を見ていると判定するので、ユーザの視線が表示部１８に向いていると推定されるときに撮像部１６による撮像を実行させることができ、ユーザが確実に障害物等との衝突を回避することができるようになる。
【００３３】
また、本実施形態では、装置筐体２０の傾きを検知するセンサ１９と、センサ１９で検知された傾きに応じて撮像部１６の撮像方向Ｄを水平方向に保持する駆動機構１７とを備える。このような構成によれば、撮像部１６の角度（傾き）を大きく変更することなく、撮像部１６の撮像方向を水平方向に保持することができる。
【００３４】
＜第２実施形態＞
上記した第１実施形態では、ユーザが表示部１８の表示内容を見ている場合に撮像部１６で撮像された動画を記憶部１４に記憶していた。これに対し、第２実施形態では、撮像部１６で撮像された動画をサーバに送信し、サーバに動画を記録する。
【００３５】
図７は、第２実施形態に係る画像記録システム５０の構成を示すブロック図である。図７に示す画像記録システム５０は、携帯端末装置１０とサーバ３０とを備えている。図７において、携帯端末装置１０は、図１を用いて説明した構成と同様であるため、重複する説明を省略する。サーバ３０は、携帯端末装置１０の撮像部１６で撮像された動画を記録する装置である。図７に示すように、サーバ３０は、サーバ側通信部３１、サーバ制御部３２、及び記録部３３を有している。
【００３６】
サーバ側通信部３１は、インターネットなどのネットワークと接続され、そのネットワークを通じてデータの送受信を行う処理部である。具体的には、サーバ制御部３２は、携帯端末装置１０から基地局やネットワークを介して送信される画像データ（時系列に並んだ画像データ、つまり動画データ）を受信する。
【００３７】
サーバ制御部３２は、サーバ３０の各部の制御を司る処理部である。具体的には、サーバ制御部３２は、サーバ側通信部３１が受信した画像データを記録部３３に記録する。また、携帯端末装置１０から送信される要求データに応じて、その要求データで要求された所望の画像データ（動画データ）を記録部３３から読み出し、読み出した画像データをサーバ側通信部３１を介して携帯端末装置１０に送信する。
【００３８】
記録部３３は、画像データ（動画データ）を記録する。記録部３３は、例えば、記録容量の大きいハードディスクなどで構成される。なお、記録部３３は、サーバ制御部３２の処理・制御を実行させるための制御プログラムなども記憶する。
【００３９】
次に、第２実施形態に係る画像記録システム５０の動作について説明する。携帯端末装置１０の制御部１２は、図６のステップＳ５の処理の実行後に、画像データ（動画データ）を携帯側通信部１５を介してサーバ３０に送信する。サーバ３０において、サーバ側通信部３１は、基地局やネットワークを介して携帯端末装置１０から送信される画像データを受信する。サーバ制御部３２は、サーバ側通信部３１が受信した画像データを記録部３３に記録する。このとき、サーバ制御部３２は、時計部（図示せず）から現在の日時の情報を取得し、その日時の情報を動画データに関連付けて記録部３３に記憶する。これにより、画像データが記録部３３に記録された日時を後で認識することができる。
【００４０】
ユーザは、サーバ３０の記録部３３に記録された画像データを取得したい場合は、画像データを記録した日時の情報などに基づいて画像データを特定する。そして、ユーザは、操作部１１を操作して、特定した画像データの取得を要求する要求データを携帯側通信部１５を介してサーバ３０に送信する。サーバ３０において、サーバ制御部３２は、サーバ側通信部３１が要求データを受信すると、その要求データで要求された画像データを記録部３３から読み出す。そして、サーバ制御部３２は、読み出した画像データをサーバ側通信部３１を介して携帯端末装置１０に送信する。
【００４１】
以上に説明したように、第２実施形態では、携帯端末装置１０は、撮像部１６で撮像された前方の動画を構成する画像データをネットワークを通じてサーバ３０に送信する携帯側通信部１５を備え、サーバ３０は、携帯端末装置１０から送信された画像データを受信するサーバ側通信部３１と、サーバ側通信部３１で受信された画像データを記録する記録部３３とを備える。このような構成によれば、動画を構成する画像データを確実に記録しておくことができる。従って、ユーザが障害物（例えば人）と衝突した場合の状況を後で確認することができる。また、トラブルが生じた場合の証拠として画像データ（動画）を利用することができる。
【００４２】
また、第２実施形態では、サーバ３０は、記録部３３に画像データを記録した日時を画像データに関連付けて記録するサーバ制御部３２を備えるので、画像データの証拠能力を向上させることができる。また、サーバ制御部３２は、携帯端末装置１０から送信される要求データに応じて所望の画像データを記録部３３から読み出し、読み出した画像データをサーバ側通信部３１を介して携帯端末装置１０に送信するので、ユーザは要求データをサーバ３０に送信するだけで所望の画像データを取得することができる。
【００４３】
以上、本発明の実施形態を説明したが、本発明の技術的範囲は、上記の実施形態に記載の範囲には限定されない。本発明の趣旨を逸脱しない範囲で、上記の実施形態に、多様な変更または改良を加えることが可能である。また、上記の実施形態で説明した要件の１つ以上は、省略されることがある。そのような変更または改良、省略した形態も本発明の技術的範囲に含まれる。また、上記した実施形態や変形例の構成を適宜組み合わせて適用することも可能である。
【００４４】
例えば、制御部１２は、ユーザが表示部１８の表示内容を見ているかどうか（いわゆる歩きスマホをしているかどうか）を待ち受け画面以外の表示内容が表示部１８に表示されているかどうかで判定していたが、このような条件に限定されない。例えば、制御部１２は、ユーザが操作部１１の操作がなくなった時点から所定期間経過していない場合、ユーザが表示部１８の表示内容を見ていると判定してもよい。
【００４５】
また、撮像部１６は、装置筐体２０の厚さ方向に対して７０±１０度の範囲内の傾斜角度で固定されていたが（７０±１０度の範囲内の傾斜角度を標準方向としていたが）、このような角度に限定されない。
【００４６】
また、携帯端末装置１０から画像データをサーバ３０に送信する場合、例えば画像処理部１３が画像データを圧縮した上で携帯側通信部１５がサーバ３０に画像データを送信する構成でもよい。また、表示部１８のサブ画面１８ｂに動画を表示していたが、主画面１８ａに動画を表示してもよい。また、サブ画面１８ｂの領域の大きさ、位置などは図５に示した大きさ、位置等に限定されない。
【００４７】
また、上記した携帯端末装置１０に加速度センサを設け、制御部１２は加速度センサで検知された加速度によってユーザが歩行中かどうか判定し、歩行中であると判定した場合に撮像部１６で撮像した動画を表示部１８に表示させるようにしてもよい。また、上記した携帯端末装置１０にＧＰＳを設け、制御部１２はＧＰＳで検出した現在位置を動画に関連付けて記憶させてもよい。
【符号の説明】
【００４８】
１０  携帯端末装置
１２  制御部
１４  記憶部
１５  携帯側通信部
１６  撮像部
１７  駆動機構
１８  表示部
１９  ジャイロセンサ（センサ）
２０  装置筐体
３０  サーバ
３１  サーバ側通信部
３２  サーバ制御部
３３  記録部
５０  画像記録システム
Ｄ    撮像方向
【図１】
2018019305.tif 000003
【図２】
2018019305.tif 000004
【図３】
2018019305.tif 000005
【図４】
2018019305.tif 000006
【図５】
2018019305.tif 000007
【図６】
2018019305.tif 000008
【図７】
2018019305.tif 000009